(57)【特許請求の範囲】
【請求項１】
前脚及び後脚の中間部を互いに枢着することによりＸ字状に構成された左右一対のＸ字脚と、互いに平行に配設されそれぞれ上記Ｘ字脚の下端部が連結されるとともに下面にキャスター機能付き車輪を着脱可能に装着した左右一対のベースと、上記Ｘ字脚の上部に装着された幼児用シートとを有し、上記前脚及び後脚のいずれか一方の下端部が上記ベースに枢着され、他方の下端部が上記ベースに対して長手方向に移動可能かつ揺動可能に装着され、
各ベースには長手方向に延びる凹溝が形成されており、その凹溝内に設けられたガイドロッドに摺動可能に係合されたスライドブロックに、上記前脚及び後脚のいずれか一方の下端部が枢着されていることを特徴とする、幼児用椅子。
【請求項２】
スライドブロックはガイドロッドに摺動可能に係合されたスライド部と、そのスライド部からベースの長手方向に沿って延びる突出部とを有し、その突出部に上記前脚及び後脚のいずれか一方の下端部が枢着されていることを特徴とする、請求項１記載の幼児用椅子。
【請求項３】
Ｘ字脚の上端部にはシート支持部材が装着されており、そのシート支持部材に幼児用シートが揺動可能に支持装着されていることを特徴とする、請求項１または２に記載の幼児用椅子。
【請求項４】
幼児用シートにはリクライニング機能が設けられていることを特徴とする、請求項１乃至３のいずれかに記載の幼児用椅子。
【発明の詳細な説明】
【０００１】
【発明の属する技術分野】
本発明は、新生児、乳児、或いは児童等の幼児のために使用される高さ調節可能な椅子に関する。
【０００２】
【従来の技術】
従来、上記幼児用椅子としては、脚部に設けられた車輪によって室内を移動できるようにするとともに、食事をする際等に高さを調節できるようにしたものが提案され実用に供されている。すなわち、上記幼児用椅子としては、前脚と後脚の中間部を互いに枢着することによりＸ字状に構成された左右一対のＸ字脚によってシートを支持するようにし、Ｘ字状の前脚と後脚とを互いに接近する方向或いは離間する方向に揺動させることにより、高さの調節を行うことができるようにしたものがある。また、室内での移動時に方向転換が容易に行われるようにするために、特に前脚の先端部にキャスター機構を付加することも行われている。
【０００３】
【発明が解決しようとする課題】
ところが、上記Ｘ字脚を使用した幼児用椅子においては、その高さを或程度高くする場合には前脚及び後脚を長くする必要があり、折り畳んだ状態で収納する場合に前後の面積が大きくなる等の問題があり、また、脚の先端にキャスターを取り付けたものにおいては、椅子の高さを調節するためにその脚の傾斜が変更された場合に、キャスター軸の角度が垂直でなくなり、走向がスムースでなくなることがある等の問題がある。そこで、常にキャスター軸を床面に対して垂直になるようにするためには、角度設定メカが必要であり、脚角度に合わせてロッド等でキャスター軸角度の補正が必要となる等の問題がある。
【０００４】
本発明はこのような点に鑑み、折り畳んだ収納時に前後方向の面積を比較的小さくすることができるとともに、キャスター軸の角度調整を行う必要がないようにした幼児用椅子を得ることを目的とする。
【０００５】
【課題を解決するための手段】
本発明は、前脚及び後脚の中間部を互いに枢着することによりＸ字状に構成された左右一対のＸ字脚と、互いに平行に配設されそれぞれ上記Ｘ字脚の下端部が連結されるとともに下面にキャスター機能付き車輪を着脱可能に装着した左右一対のベースと、上記Ｘ字脚の上部に装着された幼児用シートとを有し、上記前脚及び後脚のいずれか一方の下端部が上記ベースに枢着され、他方の下端部が上記ベースに対してベースの長手方向に移動可能かつ揺動可能に装着されていることを特徴とする。
【０００６】
上述した本発明において、各ベースには長手方向に延びる凹溝が形成されており、その凹溝内に設けられたガイドロッドに摺動可能に係合されたスライドブロックに、上記前脚及び後脚のいずれか一方の下端部が枢着されていることが好ましい。
【０００７】
上述した本発明において、スライドブロックはガイドロッドに摺動可能に係合されたスライド部と、そのスライド部からベースの長手方向に沿ってベースの前方或いは後方側に延びる突出部とを有し、その突出部に上記前脚及び後脚のいずれか一方の下端部が枢着されていることが好ましい。
【０００８】
上述した本発明において、Ｘ字脚の上端部にはシート支持部材が装着されており、そのシート支持部材に幼児用シートが揺動可能に支持装着されていることが好ましい。
【０００９】
上述した本発明において、幼児用シートにはリクライニング機能が設けられていることが好ましい。
【００１０】
【発明の実施の形態】
以下、添付図面を参照して本発明の実施の形態について説明する。
【００１１】
図１は、本発明の幼児用椅子の概略構成を示す斜視図であって、幼児用シート１は左右一対のＸ字状に形成されたＸ字脚２によって支持されている。上記Ｘ字脚２は、前脚３及び後脚４の中間部をピン５によって互いに枢着することにより構成されており、左右の前脚３は前部連結杆６により連結され、左右の後脚４は後部連結杆７（図２）により連結されている。
【００１２】
上記各Ｘ字脚２の下端部は、互いに平行に配設された左右のベース８上に装着されている。上記ベース８は中間部に湾曲部が形成されており、左右のベース８の後半部における間隔が前半部の間隔より狭くなるようにしてある。そして、前脚３の下端部が上記ベース８の先端部に突設されたボス９にピン１０により枢着されている。一方、上記ベース８の後半部には、上記ベース８の長手方向に延び上方に開口する溝１１が形成されている。溝１１内には、ベース８の長手方向に延びるガイドロッド１２が設けられており、そのガイドロッド１２にスライドブロック１３が摺動可能に嵌装されている。上記スライドブロック１３は上記ガイドロッド１２に摺動するスライド部１３aとそのスライド部１３aの上部からベース８の長手方向に沿って後方に延びる突出部１３bとを有しており、その突出部１３bに後脚４の下端部がピン１４により枢着されている。また、各ベース８の下面にはキャスター機能付き車輪１５が着脱可能に装着されている。
【００１３】
このように、ベース８の中間部に湾曲部が形成されて左右のベース８の後半部における間隔が前半部の間隔より狭くなるようにしてあるので、前脚３の内側に偏位されている後脚４もベース８の長手方向中央軸線上に連結することができ、ベース８の幅が必要以上に大きくなることを防止することができる。
【００１４】
一方、Ｘ字脚２を構成する前脚３及び後脚４の上端部は、図２に示すように、シート支持部材１７にそれぞれ装着されている。すなわち、後脚４の上端部は上記シート支持部材１７の前部に設けられたボス１８に枢着され、前脚３の上端部はシート支持部材１７に設けられている後述するヒンジ結合部１９に枢着されている。シート支持部材１７は上記Ｘ字脚２に対応して左右一対設けられており、そのシート支持部材１７は連結杆２０によって連結されるとともに、その左右のシート支持部材１７には２つのスウイングバー２１が渡されている。このスウイングバー２１はコ字状を呈し、上方が開放するように配設され、その上端部の左右屈曲部がシート支持部材１７に枢着され、スウイングバー２１が揺動可能としてある。そして、上記２つのスウイングバー２１に前記幼児用シート１がそのスウイングバー２１により前後方向にスウイング可能に載置支持されている（図３参照）。
【００１５】
図４は前脚３及び後脚４とシート支持部材１７との連結部の構成を示す図であり、前脚３の上端部がヒンジ結合部１９にピン２２により枢着されている。上記ヒンジ結合部材１９にはスライドバー２３が一体的に設けられており、そのスライドバー２３がシート支持部材１７内に前後方向にスライド可能に収納されている。すなわち、スライドバー２３には前後方向すなわち長手方向にヒンジ結合部材１９まで延びる長孔２４が形成されている。この長孔２４に対し、シート支持部材１７に所定の間隔をもって突設された２本のピン２５が嵌挿されており、上記長孔２４とピン２５との係合によりスライドバー２３が長手方向に摺動可能としてある。このスライドバー２３は図示しないバネにより図４中左方向、すなわちＸ字脚２が延びて高くなる方向に付勢されている。
【００１６】
スライドバー２３は四角形断面を有しており、そのスライドバー２３の上面には長手方向に複数の調節孔２６が列状に配設されている。一方、シート支持部材１７には上記調節孔２６のいずれかに選択的に差し込まれるピン２７が上下動可能に設けられている。ピン２７はバネ２８によって差込方向に付勢されており、また、ピン２７の途中の拡径された部分２９に係止するレバー３０が設けられている。このレバー３０はシート支持部材１７の外側に貫通して突出されており、上記ピン２７に沿って上下動可能としてある。
【００１７】
しかして、シート支持部材１７の外側からレバー３０を上方に引き上げると、バネ２８の付勢力に抗してピン２７が上方に移動し、調節孔２６から外れる。ピン２７が調節孔２６から外れることによりスライドバー２３は図示しないバネの作用により図中左方向に移動し、これによりＸ状に交差してヒンジ結合されているＸ字脚２が伸び、高さが高くなる（図１）。
【００１８】
一方、この状態でピン２７を調節孔２６から引き抜き、シート支持部材１６を押し下げると、スライドバー２３及びスライドブロック１３が、図１に於いてともに左方に移動して前脚３及び後脚４の傾斜角が小さくなり、図４に示すようにスライドバー２３が最も右に移動すると、ピン２７が調節孔２６に係合して高さが低い折り畳み状態となる。この折り畳み状態を図５に示す。
【００１９】
ところで、Ｘ字脚２の折り畳み時には前脚３及び後脚４の下端部間の間隔が最大となるが、スライドブロック１３に設けられたベース８の長手方向に沿い後方に延びる突出部１３bに後脚４の下端部が枢着されているので、図５に示すように、Ｘ字脚２の折り畳み時には上記突出部１３bがベース８の端部から後方に突出するようになり、ベース８自体の長さは最小限の長さにすることができる。
【００２０】
また、スライドバー２３がスライドする途中で、レバー３０を離せば、ピン２７はバネ２８の付勢力によって再び他の調節孔２６に係合し、Ｘ字脚２は所定の高さを維持する。調節孔２６は例えば５個設けられており、幼児用シートの使用時に於いて５段階の高さの調節を行うことができる。ところで、上記実施の形態においては、後脚４の下端部をベース８の長手方向に摺動可能としたものを示したが、前脚３を摺動可能としてもよい。
【００２１】
幼児用シート１は、図１及び図２に示すように、幼児が主に臀部を乗せる座部３１と、この座部３１の後方に配置される背部３２と、背部３２の上方に設けられたヘッドレスト３３と、座部３１の前方に設けられたステップ３４によって構成されている。
【００２２】
座部３１の両側部にはアームレスト３５が一体的に設けられるとともに、そのアームレスト３５にはテーブル３６が着脱可能に設けられている。上記背部３２は座部３１の後方に回動軸３７（図６）回りに揺動可能に装着されている。この背部３２には、前記アームレスト３５に連続した状態で配置される側壁部３８が左右一体的に設けられている。この側壁部３８の下方に前記回動軸３７が設けられている。また、図７に示すように、背部３２の前面には安全ベルト３９が設けられている。ステップ３４は座部３１の前部に回動軸４０によって揺動可能に装着されている。さらに、ヘッドレスト３３は背部３２の上部に回動軸４１により揺動可能に装着されている。
【００２３】
ところで、背部３２の側壁部３８の下方には前記回動軸３７の周りに、板状で凸状の円弧部４２が形成されている（図８及び図９）。また、この凸の円弧部４２に対して、座部３１の両側には、凹状の円弧部４３が形成され、前記凸状の円弧部４２を受けるように構成されている。
【００２４】
この凸状の円弧部４２は左右にそれぞれ存在し、図１０に示しように、互いに向かい合う内側の面が座部３１から露出しており、この露出している部分には図９に示すように突起部４４が形成されている。この突起部４４には回動穴４５が形成されており、この回動穴４５に連動バー４６の一端部が回動可能に係合されている。
【００２５】
上記連動バー４６は、全体がコ字状をしており、コの字の両先端がＬ字状に屈曲され、この屈曲部が前記左右の円弧部４２に設けられている回動穴４５に回動可能に係合されている。前記突起部４４が回動する範囲で、凹状の円弧部４３には、窪み４７が形成されており、その窪み４７の両端が突起部４４に当接し座部３１の回動を規制するストッパーになっている。
【００２６】
連動バー４６のコ字状部の中央辺はステップ３４の背面に回動可能に装着されている。すなわち、ステップ３４の背面には円形断面を有する溝４８が設けられており、その溝４８に連動バー４６のコ字状部の中央辺が係合され、保持部４９によって連動バー４６が脱落することが防止されている（図１０）。
【００２７】
しかして、座部３１に対して背部３２が後方（図９において時計方向）に傾動されると、背部３２に取り付けられた連動バー４６がステップ３４の背面を押し、ステップ３４が所定の回動角度になり、背部３２の傾斜に合わせてステップ３４も傾斜し足の部分も支持することができるようになる（図８）。
【００２８】
背部３２の傾斜した状態は、図６、図１０に示す支持バー５０によって支持されるようにしてある。すなわち、上記支持バー５０は全体がコの字状をしており、コ字状の両先端部がＬ字状に屈曲され、この屈曲部が座部３１の穴５１（図６）に回動可能に係合され、その係合端にはプッシュナットで止められ抜け止めが図られている。一方、背部３２の背面には係合凹部５２が多段に設けられており、その係合凹部５２の一つに上記支持バー５０のコ字状部の中央辺が係合保持されている。
【００２９】
背部３２の背面側には、背部３２の傾斜する動きをロックする傾動ロック機構５３が設けられている。すなわち、図１１に示すように、多段に設けられた前記係合凹部５２を覆う回動覆体５４が、背部３２の背面に回動軸５５により回動可能に取り付けられている。この回動覆体５４は、図１１中左の面が開放された箱状をしており、回動によって、係合凹部５２を取り囲んで覆う状態、或いは係合凹部５２から離れる状態をとりうるようにしてある。この回動は、回動覆体５４の上部に設けられたハンドル５６に指をかけて行う。この回動覆体５４の左右の側面には、上下方向に長孔５７が形成されており、この左右の長孔５７に前記支持バー５０のコの字の中央辺が貫通し、スライド自在に保持されている。
【００３０】
そして、回動覆体５４は、係合凹部５２を覆う状態では、支持バー５０は係合凹部５２に係合し、離れる状態では係合凹部５２から離脱し、この離脱によって長孔５７内をスライド可能となる。
【００３１】
図１１に示すように、この回動覆体５４が係合凹部５２を覆う状態にロックするためのロックレバー５８が、回動覆体５４の上方に於いて背部に設けられている。このロックレバー５８は内筒５９と外筒６０からなり、外筒６０が背部３２に固定され、この外筒６０に対して内筒５９が回動可能となっている。内筒５９の外側先端にはヘッド６１が一体的に形成され、このヘッド６１により前記回動覆体５４の上端が押さえられ、ロックが行われる。このロック及びロックの解除は前記ヘッド６１を回動させることにより行われる。
【００３２】
図１１に示すように、背部３２の上部には背部３２の傾動角度に対応してヘッドレスト３３が最適の傾斜角度になるようにするためのヘッドレスト連結機構が設けられている。すなわち、回動覆体５４の長孔５７にスライド可能に設けられた回動軸６３に連結部材６４の一端が一体的に装着されている。この連結部材６４の他端はヘッドレスト３３の回動軸４１に対して偏芯した位置に設けられている軸６５に回動可能に取り付けられている。したがって、背部３２の傾斜角度が大きくなり寝た状態になると、支持バー５０は長孔５７の上方まで移動し前記連結部材６４を押す。押された連結部材６４はヘッドレスト３３を図１１中反時計回りに回動させる。これによりヘッドレスト３３は立った状態となり、寝た幼児の頭が外に飛び出ないように支えることが可能となる。図７に座部３１及び背部３２がほぼ水平状体になった寝た状態を示す。
【００３３】
連結部材６４はバネ６６により長孔５７に沿って下方へ付勢されており、支持バー５０によって押されなくなると元の状態に復帰する。また、座部３１の底面には２つのスウイングバー１９をそれぞれ受けるための下向きの溝７０が形成されている。その溝７０に受けられたスウイングバー１９は図示しないクリップにより溝７０に保持される。
【００３４】
【発明の効果】
以上説明したように、本発明は、前脚及び後脚の中間部を互いに枢着することによりＸ字状に構成された左右一対のＸ字脚を、互いに平行に配設されたベース上に連結し、前脚及び後脚のいずれか一方の下端部を上記ベースに枢着し、他方の下端部を上記ベースに対して長手方向に移動可能かつ揺動可能に装着するようにしたので、幼児が座る座面の地上高を高くした場合にも、上記ベースの高さ分だけＸ字脚の高さすなわち前脚及び後脚の長さを短くすることができ、収納時における前後方向の長さを小さくすることができる。しかも、安定したベースの下面にキャスター付車輪を装着することができ、複雑なキャスター軸の角度調整機構が不要となり、加工や組立の誤差範囲を比較的に大きくできる等の効果を奏する。
【図面の簡単な説明】
【図１】本発明の幼児用椅子の一実施の形態を示す斜視図。
【図２】図１に於いて脚部とシート部とを分離した状態を示す図。
【図３】図１に於いてテーブルを取り外した状態の正面図。
【図４】Ｘ字脚とシート支持部材との連結部を示す図。
【図５】図１の幼児用椅子を折り畳んだ状態を示す側面図。
【図６】図１の幼児用椅子の側面図。
【図７】幼児用シートの背部を寝かせた状態を示す図。
【図８】シート部の側面図。
【図９】図６のシート部の下部を示す拡大図。
【図１０】シート部を後方下側から見た斜視図。
【図１１】シート部の上部の概略構成を示す拡大図。
【符号の説明】
１  幼児用シート
２  Ｘ字脚
３  前脚
４  後脚
５  ピン
８  ベース
１１  溝
１２  ガイドロッド
１３  スライドブロック
１５  キャスター機能付車輪
１７  シート支持部材
１９  ヒンジ結合部材
２１  スウイングバー
２３  スライドバー
２４  長孔
２５  ピン
２６  調節孔
３０  レバー
３１  座部
３２  背部
３３  ヘッドレスト
３４  ステップ
３５  アームレスト
４６  連動バー
５０  支持バー
５４  回動覆体
６４  連結部材
【図１】
0004896310.tif 000002
【図２】
0004896310.tif 000003
【図３】
0004896310.tif 000004
【図４】
0004896310.tif 000005
【図５】
0004896310.tif 000006
【図６】
0004896310.tif 000007
【図７】
0004896310.tif 000008
【図８】
0004896310.tif 000009
【図９】
0004896310.tif 000010
【図１０】
0004896310.tif 000011
【図１１】
0004896310.tif 000012